(57)【要約】【課題】明るさの低い部分の発生を抑制した照明器具を提供する。【解決手段】実施形態によれば、光源モジュールと、支持部と、を備えた照明器具が提供される。光源モジュールは、ケースと、基板と、取付用板と、を含む。ケースは、第１方向に延びる筒状であり、かつ第１方向に延びる開口を有し、光透過性である。基板は、複数の光源が並べて設けられ、複数の光源のそれぞれを開口と反対側に向けた状態で、ケース内に保持される。取付用板は、開口と基板との間に挿通された状態でケースに保持され、基板と熱的に結合する。支持部は、支持板と、枠部と、を含む。支持板は、光源モジュールを支持し、取付用板と熱的に結合する。枠部は、支持板の外縁を囲み、光反射性である。光源モジュールの第１方向の端部は、枠部に覆われる。複数の光源のそれぞれは、枠部に覆われない。【選択図】図１
2014157800.tif 000002
【特許請求の範囲】
【請求項１】
光源モジュールであって、
第１方向に延びる筒状であり、かつ前記第１方向に延びる開口を有する光透過性のケースと、
複数の光源が並べて設けられ、前記複数の光源のそれぞれを前記開口と反対側に向けた状態で、前記ケース内に保持される基板と、
前記開口と前記基板との間に挿通された状態で前記ケースに保持され、前記基板と熱的に結合する取付用板と、
を含む光源モジュールと、
支持部であって、
前記光源モジュールを支持し、前記取付用板と熱的に結合する支持板と、
前記支持板の外縁を囲む光反射性の枠部と、
を含む支持部と、
を備え、
前記光源モジュールの前記第１方向の端部は、前記枠部に覆われ、
前記複数の光源のそれぞれは、前記枠部に覆われない照明器具。
【請求項２】
前記ケースは、一対の溝部を有し、
前記一対の溝部のそれぞれは、前記第１方向に延び、前記第１方向に対して平行な平面上で前記第１方向と直交する第２方向において互いに向かい合い、
前記基板は、前記一対の溝部に挿し込むことによって、前記ケースに保持される請求項１記載の照明器具。
【請求項３】
前記取付用板は、第１係合部と、第２係合部と、を有し、
前記支持板は、第１被係合部と、第２被係合部と、を有し、
前記第１係合部は、前記第１被係合部と係合し、前記支持板に対する前記取付用板の少なくとも１つの向きの移動を規制し、
前記第２係合部は、前記第１係合部を前記第１被係合部に係合させたときに、前記第２被係合部と係合し、前記支持板に対する前記取付用板の前記１つの向きと反対の向きの移動を規制し、
前記光源モジュールは、前記第１係合部と前記第１被係合部との係合、及び、前記第２係合部と前記第２被係合部との係合によって、前記支持板に支持される請求項１または２に記載の照明器具。
【請求項４】
前記取付用板は、弾性を有し、弾性変形させることにより第１状態と第２状態とに変化し、
前記第１状態の前記取付用板の幅は、前記開口の幅よりも広く、
前記第２状態の前記取付用板の幅は、前記開口の幅よりも狭い請求項１〜３のいずれか１つに記載の照明器具。
【発明の詳細な説明】
【技術分野】
【０００１】
本発明の実施形態は、照明器具に関する。
【背景技術】
【０００２】
天井などに取り付けられて室内を照明する照明器具がある。こうした室内用の照明器具において、光源モジュールと、この光源モジュールを支持する支持部と、を含むものがある。光源モジュールには、例えば、ＬＥＤなどの発光素子が、光源として用いられる。光源モジュールは、例えば、複数の光源を並べて配置した基板と、この基板を保持するケースと、を含む。基板は、例えば、長方形状であり、各光源は、例えば、基板の長手方向に並べられる。光源モジュールは、例えば、長尺状である。これにより、室内の照明に適した大きな発光面積を得ることができる。
【０００３】
上記のような照明器具において、例えば、光源モジュールの長手方向の端部と支持部との間に、明るさの低い部分が生じてしまう場合がある。こうした明るさの低い部分は、例えば、配光性の低下や意匠性の低下を招いてしまう。
【先行技術文献】
【特許文献】
【０００４】
【特許文献１】特開２０１０−１１８２７７号公報
【発明の概要】
【発明が解決しようとする課題】
【０００５】
本発明の実施形態は、明るさの低い部分の発生を抑制した照明器具を提供する。
【課題を解決するための手段】
【０００６】
本発明の実施形態によれば、光源モジュールと、支持部と、を備えた照明器具が提供される。前記光源モジュールは、ケースと、基板と、取付用板と、を含む。前記ケースは、第１方向に延びる筒状であり、かつ前記第１方向に延びる開口を有し、光透過性である。前記基板は、複数の光源が並べて設けられ、前記複数の光源のそれぞれを前記開口と反対側に向けた状態で、前記ケース内に保持される。前記取付用板は、前記開口と前記基板との間に挿通された状態で前記ケースに保持され、前記基板と熱的に結合する。前記支持部は、支持板と、枠部と、を含む。前記支持板は、前記光源モジュールを支持し、前記取付用板と熱的に結合する。前記枠部は、前記支持板の外縁を囲み、光反射性である。前記光源モジュールの前記第１方向の端部は、前記枠部に覆われる。前記複数の光源のそれぞれは、前記枠部に覆われない。
【発明の効果】
【０００７】
明るさの低い部分の発生を抑制した照明器具が提供される。
【図面の簡単な説明】
【０００８】
【図１】図１（ａ）及び図１（ｂ）は、実施形態に係る照明器具を表す模式図である。
【図２】図２（ａ）及び図２（ｂ）は、実施形態に係る支持部を表す模式的斜視図である。
【図３】図３（ａ）及び図３（ｂ）は、実施形態に係る光源モジュールを表す模式図である。
【図４】図４（ａ）及び図４（ｂ）は、実施形態に係る支持板の一部及び取付用板の一部を表す模式的斜視図である。
【図５】図５（ａ）及び図５（ｂ）は、実施形態に係る支持板の一部及び取付用板の一部を表す模式的斜視図である。
【図６】実施形態に係る照明器具１０の一部を模式的に表す部分断面図である。
【図７】図７（ａ）〜図７（ｃ）は、実施形態に係る別の光源モジュールを表す模式的断面図である。
【発明を実施するための形態】
【０００９】
以下に、各実施の形態について図面を参照しつつ説明する。  
なお、図面は模式的または概念的なものであり、各部分の厚みと幅との関係、部分間の大きさの比率などは、必ずしも現実のものと同一とは限らない。また、同じ部分を表す場合であっても、図面により互いの寸法や比率が異なって表される場合もある。  
なお、本願明細書と各図において、既出の図に関して前述したものと同様の要素には同一の符号を付して詳細な説明は適宜省略する。
【００１０】
図１（ａ）及び図１（ｂ）は、実施形態に係る照明器具を表す模式図である。  
図１（ａ）は、照明器具１０の模式的斜視図であり、図１（ｂ）は、照明器具１０の模式的平面図である。  
図１（ａ）及び図１（ｂ）に表したように、照明器具１０は、光を照射する光源モジュール１２と、光源モジュール１２を支持する支持部１４と、を備える。照明器具１０には、例えば、複数の光源モジュール１２が設けられる。支持部１４は、複数の光源モジュール１２のそれぞれを支持する。この例では、４つの光源モジュール１２が、照明器具１０に設けられる。照明器具１０に設けられる光源モジュール１２の数は、４つに限ることなく、１つでもよいし、４つ以上でもよい。光源モジュール１２の数は、任意である。
【００１１】
照明器具１０は、例えば、各光源モジュール１２を下方に向けた状態で室内の天井に取り付けられる。支持部１４には、例えば、吊りボルトなどの金具が取り付けられる。照明器具１０は、例えば、こうした金具を介して天井に取り付けられる。これにより、照明器具１０は、各光源モジュール１２から照射される光によって、室内を照明する。なお、照明器具１０は、天井に限ることなく、例えば、壁面などに取り付けてもよい。
【００１２】
図２（ａ）及び図２（ｂ）は、実施形態に係る支持部を表す模式的斜視図である。  
図２（ａ）に表したように、支持部１４は、支持板２０と、枠部２１と、カバー２２と、を含む。図２（ｂ）は、支持部１４において、枠部２１とカバー２２とを取り外した状態を模式的に表している。
【００１３】
図２（ａ）及び図２（ｂ）に表したように、支持板２０は、各光源モジュール１２を支持する支持面２０ａを有する。ここで、支持面２０ａに対して平行な１つの方向をＸ軸方向とする。支持面２０ａに対して平行で、Ｘ軸方向に対して垂直な方向をＹ軸方向とする。Ｘ軸方向及びＹ軸方向に対して垂直な方向をＺ軸方向とする。Ｚ軸方向は、換言すれば、支持面２０ａに対して垂直な方向である。
【００１４】
支持面２０ａに対して平行な平面（Ｘ−Ｙ平面）に投影した支持板２０の形状は、例えば、四角形状である。換言すれば、Ｚ軸方向に見たときの支持板２０の形状は、例えば、四角形状である。この例において、支持板２０の形状（支持面２０ａの形状）は、例えば、正方形状である。この例では、支持面２０ａの一対の辺が、Ｘ軸方向に対して平行である。そして、支持面２０ａの別の一対の辺が、Ｙ軸方向に対して平行である。支持面２０ａの一辺の長さは、例えば、４００ｍｍ〜８００ｍｍ程度である。
【００１５】
支持板２０の形状は、正方形状に限ることなく、例えば、長方形状でもよい。支持板２０の形状は、例えば、他の多角形状でもよいし、円形や楕円形などでもよい。支持板２０の形状は、任意でよい。支持板２０には、例えば、鉄、アルミニウム、または、ステンレスなどの金属材料が用いられる。支持板２０は、例えば、炭素繊維などの熱伝導率の高い樹脂材料でもよい。
【００１６】
照明器具１０をＸ−Ｙ平面に投影したときの形状は、例えば、支持板２０の形状と実質的に同じである。この例では、照明器具１０をＸ−Ｙ平面に投影したときの形状が、正方形状である。照明器具１０の一辺の長さは、例えば、４００ｍｍ〜８００ｍｍ程度である。照明器具１０をＸ−Ｙ平面に投影したときの形状は、任意である。照明器具１０をＸ−Ｙ平面に投影したときの形状は、支持板２０の形状と異なってもよい。
【００１７】
支持板２０は、支持面２０ａの外縁に沿うリブ２０ｂを有する。リブ２０ｂは、例えば、支持面２０ａを囲む環状である。リブ２０ｂは、支持面２０ａに対して交差する方向に延びる。リブ２０ｂは、例えば、Ｚ軸方向に延びる。リブ２０ｂは、例えば、支持板２０の外縁の一部を折り曲げることによって設けられる。これにより、支持板２０の強度を高めることができる。リブ２０ｂの延びる方向は、Ｚ軸方向に限ることなく、支持面２０ａに対して交差する任意の方向でよい。リブ２０ｂは、必ずしも支持面２０ａの全周を囲わなくてもよい。リブ２０ｂは、支持面２０ａの全周に対して途切れていてもよい。換言すれば、支持面２０ａの外縁に沿う複数のリブ２０ｂを支持板２０に設けてもよい。
【００１８】
支持板２０は、支持面２０ａに対して交差する方向に延びる側面２０ｓを有する。側面２０ｓは、例えば、リブ２０ｂの側面である。
【００１９】
照明器具１０は、各光源モジュール１２に電力を供給する電源回路１６を、さらに含む。電源回路１６は、例えば、支持面２０ａの上に設けられ、ネジ止めなどによって支持板２０に取り付けられる。電源回路１６は、例えば、細長い形状である。電源回路１６の延びる方向は、例えば、Ｘ軸方向に対して平行である。電源回路１６は、例えば、支持面２０ａのＸ軸方向の一辺に対して平行に配置される。また、電源回路１６は、Ｘ軸方向の一辺に寄せて配置される。電源回路１６の形状及び配置は、これに限ることなく、任意でよい。
【００２０】
電源回路１６は、例えば、外部から供給される電力を光源モジュール１２に対応した電圧または電流に変換して、光源モジュール１２に供給する。光源モジュール１２は、電源回路１６からの電力供給に応じて光源を点灯させ、光を照射する。なお、電源回路１６は、必要に応じて設けられ、省略可能である。電源回路１６は、例えば、照明器具１０とは別に設けてもよい。
【００２１】
枠部２１は、支持板２０の外縁を囲む。枠部２１は、例えば、略四角形の環状である。枠部２１は、例えば、板状の部材を折り曲げることによって形成される。枠部２１は、例えば、中空状である。枠部２１には、例えば、鉄、アルミニウム、または、ステンレスなどの金属材料が用いられる。枠部２１は、光反射性である。枠部２１には、例えば、白色などの光反射性の高い塗料などが塗布されていてもよい。枠部２１は、例えば、ネジ止めなどによって支持板２０に取り付けられ、支持面２０ａの外周付近の一部を覆う。これにより、例えば、照明器具１０の意匠性を高めることができる。枠部２１は、例えば、支持板２０の側面２０ｓを覆う。これにより、例えば、照明器具１０の意匠性をより高めることができる。また、枠部２１は、例えば、電源回路１６や各光源モジュール１２と電源回路１６との間の配線などを覆い隠す。これにより、例えば、照明器具１０の絶縁性を高めることができる。
【００２２】
枠部２１は、例えば、略四角形状の開口２１ａを有する。開口２１ａは、例えば、支持面２０ａの一部を露呈させる。開口２１ａは、例えば、支持板２０に取り付けられる各光源モジュール１２を露呈させる。また、開口２１ａのうちのＸ軸方向に延びる一対の部分は、支持面２０ａからＺ軸方向に離間するほど幅が広くなるテーパ面に形成されている。これにより、例えば、開口２１ａのテーパ面の角度によって、各光源モジュール１２から照射される光の配光角を制御することができる。
【００２３】
開口２１ａは、四角形状に限ることなく、他の多角形状でもよいし、円形や楕円形などでもよい。この例では、開口２１ａのＸ−Ｙ平面に投影した形状が、枠部２１のＸ−Ｙ平面に投影した外形形状と同様の四角形状である。開口２１ａのＸ−Ｙ平面に投影した形状は、枠部２１のＸ−Ｙ平面に投影した外形形状と異なってもよい。
【００２４】
カバー２２は、支持面２０ａの上に設けられる。カバー２２は、例えば、ネジ止めなどにより、支持板２０に取り付けられる。カバー２２は、例えば、Ｖ字型に折り曲げられた板状である。カバー２２には、例えば、鉄、アルミニウム、または、ステンレスなどの金属材料が用いられる。カバー２２は、例えば、Ｘ軸方向に延び、支持面２０ａのＹ軸方向の中心付近に配置される。カバー２２のＹ軸方向の幅は、枠部２１の開口２１ａのＹ軸方向の幅よりも狭い。これにより、カバー２２は、例えば、支持面２０ａの一部を露呈させる。カバー２２は、例えば、支持板２０に取り付けられる各光源モジュール１２を露呈させる。そして、カバー２２は、例えば、支持板２０に設けられた取付用の穴や電源ケーブルを通す穴などを塞ぐ。これにより、例えば、照明器具１０の意匠性をより高めることができる。
【００２５】
カバー２２は、Ｖ字型に折り曲げられている。カバー２２のＹ軸方向の幅は、支持面２０ａから離間するほど狭くなる。これにより、例えば、カバー２２の角度によって、各光源モジュール１２から照射される光の配光角を制御することができる。なお、電源回路１６は、例えば、カバー２２によって覆われる位置に配置してもよい。
【００２６】
各光源モジュール１２は、例えば、Ｘ軸方向に延び、Ｙ軸方向に並べて配置される。この例において、各光源モジュール１２は、Ｘ軸方向に延びる略直方体状である。この例では、カバー２２と枠部２１のＸ軸方向に延びる一方の部分との間に２つの光源モジュール１２が設けられ、カバー２２と枠部２１のＸ軸方向に延びる他方の部分との間に２つの光源モジュール１２が設けられる。
【００２７】
図３（ａ）及び図３（ｂ）は、実施形態に係る光源モジュールを表す模式図である。  
図３（ａ）は、光源モジュール１２を模式的に表す分解斜視図であり、図３（ｂ）は、光源モジュール１２を模式的に表す断面図である。  
図３（ａ）及び図３（ｂ）に表したように、光源モジュール１２は、ケース３０と、基板３１と、取付用板３２と、一対のキャップ３３、３４と、を有する。
【００２８】
ケース３０は、Ｘ軸方向（第１方向）に延びる筒状である。ケース３０は、例えば、略四角筒状である。ケース３０は、光透過性を有する。ケース３０には、例えば、光透過性を有する樹脂材料などが用いられる。ケース３０は、例えば、乳白色の樹脂やフロスト加工の施された樹脂など、光透過性と光拡散性とを有していてもよい。
【００２９】
ケース３０は、開口３０ｐを有する。開口３０ｐは、例えば、Ｘ軸方向に延びるスリット状である。開口３０ｐは、例えば、ケース３０のＸ軸方向の一端３０ａ及びケース３０のＸ軸方向の他端３０ｂに連続する。開口３０ｐは、一端３０ａ及び他端３０ｂに必ずしも連続していなくてもよい。
【００３０】
基板３１は、Ｘ軸方向に延びる。基板３１のＸ−Ｙ平面に投影した形状は、例えば、長方形状である。基板３１は、表面３１ａと、表面３１ａの反対側の裏面３１ｂと、を有する。この例において、裏面３１ｂは、表面３１ａに対して実質的に平行である。裏面３１ｂは、表面３１ａに対して非平行でもよい。基板３１の表面３１ａには、複数の光源３５が設けられる。基板３１には、図示を省略した配線パターンが設けられている。各光源３５は、基板３１の配線パターンと電気的に接続されている。各光源３５は、例えば、Ｘ軸方向及びＹ軸方向に並べられる。各光源３５の数やピッチは、任意である。各光源３５の数やピッチは、照明器具１０の大きさや照明器具１０に必要な輝度などに応じて適宜決定すればよい。
【００３１】
光源３５には、例えば、発光ダイオード（Light Emitting Diode：ＬＥＤ）が用いられる。光源３５は、例えば、有機発光ダイオード（Organic Light Emitting Diode：ＯＬＥＤ）、無機エレクトロルミネッセンス（Inorganic ElectroLuminescence）発光素子、有機エレクトロルミネッセンス（Organic ElectroLuminescence）発光素子、または、その他の電界発光型の発光素子などでもよい。
【００３２】
ケース３０には、基板３１を保持するための一対の溝部３０ｍが設けられている。各溝部３０ｍは、Ｘ軸方向に延び、Ｙ軸方向（第１方向に対して平行な平面上で第１方向と直交する第２方向）において互いに向かい合う。各溝部３０ｍの高さ（Ｚ軸方向の長さ）は、基板３１の厚さ（Ｚ軸方向の長さ）と実質的に同じか、僅かに大きい程度である。各溝部３０ｍのＹ軸方向の深さ、及び、各溝部３０ｍ同士のＹ軸方向の間隔は、基板３１のＹ軸方向の幅と実質的に同じか、僅かに大きい程度である。
【００３３】
基板３１のＹ軸方向の一端を一方の溝部３０ｍに挿し込み、基板３１のＹ軸方向の他端を他方の溝部３０ｍに挿し込む。例えば、ケース３０の一端３０ａから基板３１を各溝部３０ｍに挿し込み、基板３１をＸ軸方向にスライドさせて、基板３１をケース３０内に収納する。これにより、基板３１がケース３０に保持される。
【００３４】
基板３１は、各光源３５をケース３０の開口３０ｐと反対側に向けてケース３０に保持させる。基板３１の配線パターンは、ケース３０に保持された状態において、図示を省略した配線を介して、電源回路１６と電気的に接続される。これにより、電源回路１６からの電力供給に応じて、各光源３５が点灯する。各光源３５から照射された光は、ケース３０を透過して外部に出射する。これにより、例えば、各光源３５から照射された光によって、室内が照明される。
【００３５】
取付用板３２は、例えば、光源モジュール１２の支持部１４への取り付けに用いられる。取付用板３２は、例えば、高い熱伝導率と弾性とを有する。取付用板３２の熱伝導率は、例えば、ケース３０の熱伝導率よりも高い。取付用板３２は、例えば、金属板である。取付用板３２には、例えば、鉄、アルミニウム、または、ステンレスなどの金属材料が用いられる。取付用板３２は、例えば、炭素繊維などの熱伝導率の高い樹脂材料でもよい。
【００３６】
取付用板３２は、例えば、ケース３０内において、開口３０ｐと基板３１との間に挿通された状態でケース３０に保持される。取付用板３２は、例えば、一対の係合部３２ａと、当接部３２ｂと、一対の取付部３２ｃと、を有する。各係合部３２ａ、当接部３２ｂ及び各取付部３２ｃのそれぞれは、Ｘ軸方向に延びる。各取付部３２ｃは、例えば、各係合部３２ａの間に配置される。当接部３２ｂは、例えば、各取付部３２ｃの間に配置される。
【００３７】
各係合部３２ａは、ケース３０内に挿通された状態で開口３０ｐの縁部分に係合する。当接部３２ｂは、各係合部３２ａを縁部分に係合させた状態で基板３１の裏面３１ｂに当接する。各取付部３２ｃは、各係合部３２ａを縁部分に係合させ、当接部３２ｂを基板３１の裏面３１ｂに当接させた状態において、開口３０ｐからケース３０の外側に突出する。各取付部３２ｃは、光源モジュール１２の支持部１４への取り付けに用いられる。
【００３８】
係合部３２ａと当接部３２ｂとの間のＺ軸方向の距離は、例えば、開口３０ｐの縁部分と各溝部３０ｍに保持された基板３１の裏面３１ｂとの間のＺ軸方向の距離よりも僅かに長い。これにより、取付用板３２をケース３０内に挿通した際に、取付用板３２が、開口３０ｐの縁部分と基板３１の裏面３１ｂとの間に挟み込まれる。これにより、取付用板３２が、ケース３０内で保持される。また、取付用板３２の弾性力により、基板３１が、各溝部３０ｍの内面に押し付けられる。例えば、取付用板３２が、基板３１の裏面３１ｂに密着する。これにより、例えば、ネジ止めなどを行うことなく、基板３１及び取付用板３２をケース３０内に適切に保持することができる。
【００３９】
当接部３２ｂが基板３１の裏面３１ｂに当接することにより、取付用板３２が、基板３１と熱的に結合する。これにより、例えば、各光源３５の点灯にともなって生じる熱を取付用板３２に逃がすことができる。例えば、各光源３５の放熱性を高めることができる。なお、当接部３２ｂは、基板３１の裏面３１ｂに直接接触してもよいし、例えば、放熱グリスや放熱シートなどを介して当接してもよい。このように、本願明細書において、「熱的に結合」には、直接接する場合の他に、放熱グリスや放熱シートなどを介して接する場合も含む。
【００４０】
キャップ３３は、ケース３０の一端３０ａに嵌り、一端３０ａを塞ぐ。キャップ３４は、ケース３０の他端３０ｂに嵌り、他端３０ｂを塞ぐ。これにより、ケース３０内に収納された基板３１及び取付用板３２のケース３０からの抜けが抑制される。キャップ３３、３４には、例えば、弾性を有するゴムなどの樹脂材料が用いられる。
【００４１】
取付用板３２の取付部３２ｃには、第１係合部４１と第２係合部４２とが設けられている。この例では、各取付部３２ｃに複数の第１係合部４１が設けられている。より詳しくは、各取付部３２ｃのそれぞれに２個ずつ計４個の第１係合部４１が、取付用板３２に設けられている。一方、この例において、第２係合部４２の数は、１個である。第２係合部４２は、例えば、第１係合部４１とＸ軸方向に並べて配置される。第１係合部４１の数及び第２係合部４２の数は、任意である。
【００４２】
支持板２０には、第１係合部４１と係合する第１被係合部５１と、第２係合部４２と係合する第２被係合部５２と、が設けられている（図２（ａ）及び図２（ｂ）参照）。第１被係合部５１は、取付用板３２に設けられた複数の第１係合部４１のそれぞれに対応して複数設けられる。また、第１被係合部５１及び第２被係合部５２は、各光源モジュール１２のそれぞれに対応して設けられる。すなわち、この例では、１６個の第１被係合部５１と、４個の第２被係合部５２と、が、支持板２０に設けられる。
【００４３】
図４（ａ）及び図４（ｂ）は、実施形態に係る支持板の一部及び取付用板の一部を表す模式的斜視図である。  
図４（ａ）及び図４（ｂ）に表したように、第１係合部４１は、フック状である。第１係合部４１は、例えば、取付用板３２にＬ字状の切れ込みを入れ、その部分をプレス加工で押し出すことによって形成される。第１係合部４１の突出量は、例えば、支持板２０の厚さと実質的に同じである。第１被係合部５１は、第１係合部４１を挿通可能な穴である。第１被係合部５１の形状は、第１係合部４１に対応して形成される。
【００４４】
図４（ｂ）に表したように、第１係合部４１を第１被係合部５１に挿通し、Ｘ軸方向にスライドさせる。これにより、第１係合部４１が、第１被係合部５１と係合する。第１係合部４１及び第１被係合部５１の係合により、支持板２０に対しての取付用板３２のＺ軸方向の移動が規制される。支持板２０に対しての取付用板３２のＹ軸方向の移動が規制される。さらに、支持板２０に対しての取付用板３２のＸ軸方向の一方の向きの移動が規制される。この例において、第１係合部４１と第１被係合部５１とは、Ｘ軸方向の矢線ｘ１で示す向き（１つの向き）の移動を規制する。なお、上記とは反対に、第１係合部４１を穴状とし、第１被係合部５１をフック状としてもよい。
【００４５】
図５（ａ）及び図５（ｂ）は、実施形態に係る支持板の一部及び取付用板の一部を表す模式的斜視図である。  
図５（ａ）及び図５（ｂ）に表したように、第２係合部４２は、爪状である。この例において、第２係合部４２は、略半球状である、第２係合部４２は、例えば、プレス加工で押し出すことによって形成される。第２被係合部５２は、第２係合部４２と係合する穴である。第２被係合部５２の形状は、第２係合部４２に対応して形成される。
【００４６】
図５（ｂ）に表したように、第２係合部４２は、第１係合部４１と第１被係合部５１とを係合させたときに、第２被係合部５２と係合する。これにより、第２係合部４２は、支持板２０に対しての取付用板３２のＸ軸方向の他方の向きの移動を規制する。すなわち、第２係合部４２は、第１係合部４１と反対の向きの取付用板３２のＸ軸方向の移動を規制する。この例において、第２係合部４２と第２被係合部５２とは、Ｘ軸方向の矢線ｘ２で示す向き（反対の向き）の移動を規制する。
【００４７】
これにより、第１係合部４１と第１被係合部５１との係合、及び、第２係合部４２と第２被係合部５２との係合により、支持板２０に対しての取付用板３２の各方向への移動が規制される。これにより、光源モジュール１２が、支持板２０に支持される。支持板２０は、例えば、各光源３５を支持面２０ａと反対側に向けて光源モジュール１２を支持する。なお、上記とは反対に、第２係合部４２を穴状とし、第２被係合部５２を爪状としてもよい。
【００４８】
また、上記のように、光源モジュール１２を支持板２０に支持させることにより、例えば、取付用板３２が、支持板２０に接する。例えば、取付用板３２が、支持板２０に密着する。これにより、取付用板３２が、支持板２０と熱的に結合する。すなわち、照明器具１０では、基板３１と取付用板３２と支持板２０とのそれぞれが、熱的に結合している。これにより、各光源３５で発生した熱を基板３１及び取付用板３２を介して支持板２０に逃がすことができる。従って、各光源３５の放熱性をより高めることができる。
【００４９】
図６は、実施形態に係る照明器具１０の一部を模式的に表す部分断面図である。  
図６に表したように、光源モジュール１２のＸ軸方向の端部１２ａは、支持板２０に支持された状態において、枠部２１に覆われる。換言すれば、光源モジュール１２の端部１２ａは、Ｘ−Ｙ平面に投影したときに、枠部２１と重なる。
【００５０】
この例において、光源モジュール１２の端部１２ａは、キャップ３３の端部３３ａである。すなわち、光源モジュール１２では、支持板２０に支持された状態において、少なくともキャップ３３の端部３３ａが、枠部２１に覆われる。この例では、さらに、ケース３０のＸ軸方向の端部（一端３０ａ）が、枠部２１に覆われる。
【００５１】
ケース３０の端部は、必ずしも枠部２１に覆われなくてもよい。光源モジュール１２の端部１２ａが、少なくとも枠部２１に覆われていればよい。例えば、キャップ３３の少なくとも一部が、枠部２１に覆われていればよい。
【００５２】
光源モジュール１２において、基板３１に設けられた複数の光源３５のそれぞれは、枠部２１に覆われない。各光源３５は、Ｘ−Ｙ平面に投影したときに、枠部２１に重ならない。また、各光源３５のうちの光源モジュール１２の端部１２ａに最も近い１つの光源３５ｎは、Ｘ軸方向において、枠部２１の開口２１ａの端部２１ｅに近接して配置される。１つの光源３５ｎは、例えば、Ｘ−Ｙ平面に投影したときに、枠部２１に重ならず、かつ端部２１ｅに近接する位置に配置される。光源３５ｎと端部２１ｅとの間のＸ軸方向の距離Ｄ１は、例えば、１ｍｍ以上５０ｍｍ以下である。
【００５３】
図６では、光源モジュール１２のキャップ３３側の構造を表している。照明器具１０では、光源モジュール１２のキャップ３４側の構造も、キャップ３３側の構造と実質的に同じである。すなわち、光源モジュール１２のＸ軸方向の反対側の端部が、枠部２１に覆われる。キャップ３４の端部が、枠部２１に覆われる。この例では、ケース３０のＸ軸方向の反対側の端部（他端３０ｂ）が、枠部２１に覆われる。すなわち、光源モジュール１２のＸ軸方向の両端が、枠部２１に覆われる。キャップ３４側においても、各光源３５は、枠部２１に覆われない。そして、例えば、キャップ３４に最も近い別の１つの光源３５が、枠部２１の近傍に配置される。
【００５４】
本実施形態に係る照明器具１０では、光源モジュール１２の長手方向の端部１２ａが、枠部２１に覆われ、各光源３５が、枠部２１に覆われない。また、枠部２１が、光反射性である。すなわち、照明器具１０では、光源モジュール１２の端部１２ａと支持部１４との間の部分が、枠部２１で覆い隠される。各光源３５から照射された光の一部は、枠部２１の開口２１ａの端部２１ｅで反射する。従って、照明器具１０では、例えば、光源モジュール１２と枠部２１との間の部分に、明るさの低い部分が生じることを抑制することができる。照明器具１０では、例えば、室内側（開口２１ａ側）から見たときに、明るさの低い部分が生じることを抑制することができる。照明器具１０では、例えば、室内側から見たときに、光源モジュール１２の開口２１ａから露呈する部分の明るさを、実質的に均一にすることができる。これにより、照明器具１０では、例えば、良好な配光性を得ることができる。照明器具１０では、例えば、良好な意匠性を得ることができる。
【００５５】
ＬＥＤなどの発光素子を用いた光源モジュール１２では、蛍光灯などに比べて薄型化が容易である。これにより、光源モジュール１２では、端部１２ａを枠部２１で覆い隠すようにした場合においても、枠部２１の厚さを抑えることができる。例えば、照明器具１０の厚さを抑えることができる。
【００５６】
照明器具１０では、ケース３０の一端３０ａ及び他端３０ｂが、枠部２１に覆われる。すなわち、キャップ３３、３４が、枠部２１に覆い隠される。これにより、例えば、明るさの低い部分が生じることを、より適切に抑えることができる。例えば、照明器具１０の意匠性をより高めることができる。
【００５７】
照明器具１０では、各光源３５のうちの光源モジュール１２の端部１２ａに最も近い１つの光源３５ｎが、Ｘ軸方向において、枠部２１の開口２１ａの端部２１ｅに近接して配置される。これにより、例えば、明るさの低い部分が生じることを、より適切に抑えることができる。
【００５８】
照明器具１０では、基板３１が、ネジなどを用いることなく、一対の溝部３０ｍに挿し込むことによって、ケース３０内に保持される。これにより、例えば、照明器具１０が落下した際などに、基板３１に伝わる振動や衝撃を抑えることができる。これにより、照明器具１０では、例えば、振動や衝撃などにともなう基板３１や各光源３５の破損または損傷などを抑えることができる。例えば、基板３１や各光源３５の寿命の低下などを抑えることができる。
【００５９】
照明器具１０では、ネジなどを用いることなく、第１係合部４１と第１被係合部５１との係合、及び、第２係合部４２と第２被係合部５２との係合により、光源モジュール１２が、支持板２０に支持される。これにより、例えば、照明器具１０の組み立て性を向上させることができる。例えば、部品点数を削減することができる。また、照明器具１０では、第１係合部４１と第１被係合部５１との係合、及び、第２係合部４２と第２被係合部５２との係合により、取付用板３２が、支持板２０に密着する。これにより、照明器具１０では、良好な放熱性を得ることができる。各光源３５で発生した熱の放熱性を高めることができる。
【００６０】
図７（ａ）〜図７（ｃ）は、実施形態に係る別の光源モジュールを表す模式的断面図である。  
図７（ａ）〜図７（ｃ）に表したように、この例において、取付用板１３２は、一対の傾斜部１３２ｄを有する。各傾斜部１３２ｄは、各係合部１３２ａと各取付部１３２ｃとのそれぞれの間に配置される。各傾斜部１３２ｄは、基板３１の表面３１ａ及び裏面３１ｂに垂直な方向（Ｚ軸方向）に対して、傾斜している。各傾斜部１３２ｄの間のＹ軸方向の距離は、Ｚ軸方向の取付部１３２ｃから係合部１３２ａに向かう向きにおいて、増大する。各傾斜部１３２ｄの間のＹ軸方向の距離は、例えば、Ｚ軸方向の取付部１３２ｃから係合部１３２ａに向かう向きにおいて、連続的に増大する。すなわち、取付用板１３２では、Ｚ軸方向の取付部１３２ｃから係合部１３２ａに向かう向きにおいて、広がっている。取付用板１３２は、例えば、上向きに広がる。
【００６１】
取付用板１３２は、弾性を有する。取付用板１３２には、取付用板３２に関して説明したように、例えば、金属材料が用いられる。取付用板１３２は、弾性変形させることにより、第１状態と第２状態とに変化する。
【００６２】
図７（ａ）及び図７（ｃ）は、第１状態にある取付用板１３２を表している。  
図７（ｂ）は、第２状態にある取付用板１３２を表している。  
図７（ａ）及び図７（ｃ）に表したように、第１状態の取付用板１３２のＹ軸方向の幅は、開口３０ｐのＹ軸方向の幅よりも広い。これにより、第１状態では、各係合部１３２ａが、ケース３０内に挿通された状態で開口３０ｐの縁部分に係合する。
【００６３】
一方、図７（ｂ）に表したように、第２状態の取付用板１３２のＹ軸方向の幅は、開口３０ｐのＹ軸方向の幅よりも狭い。第２状態は、例えば、取付用板１３２に力を加えて、取付用板１３２を弾性変形させた状態である。第１状態は、例えば、取付用板１３２に力を加えていない定常状態である。
【００６４】
上記実施形態に関して説明した取付用板３２では、例えば、取付用板３２をケース３０に取り付ける際に、取付用板３２をケース３０に挿し込み、取付用板３２をＸ軸方向にスライドさせる。このため、取付用板３２では、例えば、取付用板３２のＸ軸方向の長さの２倍以上の長さの組立スペースが必要となる。
【００６５】
これに対して、取付用板１３２では、図７（ｂ）に表したように、取付用板１３２を各傾斜部１３２ｄの部分で弾性変形させて折り曲げ、第２状態にする。これにより、取付用板１３２では、ケース３０の開口３０ｐに対して取付用板１３２をＺ軸方向に挿し込むことで、取付用板１３２をケース３０に取り付けることができる。これにより、取付用板１３２では、例えば、組立スペースを省スペース化できる。取付用板１３２では、例えば、光源モジュール１２の組立性を高めることができる。例えば、照明器具１０の組立コストを低減できる。
【００６６】
取付用板１３２では、各傾斜部１３２ｄが設けられ、上向きに広がっている。これにより、取付用板１３２を第１状態と第２状態とに変化させ易くすることができる。また、取付用板１３２では、例えば、第１状態に戻る弾性力によって各係合部１３２ａ及び各傾斜部１３２ｄが、ケース３０に押し付けられ、各傾斜部１３２ｄの傾斜に沿って上向きの力が働く。これにより、取付用板１３２の当接部１３２ｂを、より適切に基板３１の裏面３１ｂに密着させることができる。例えば、基板３１と取付用板１３２とを、より適切にケース３０内に保持することができる。例えば、基板３１と取付用板１３２とを、より適切に熱的に結合させることができる。例えば、各光源３５で発生した熱の放熱性をより高めることができる。
【００６７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６８】
１０…照明器具、１２…光源モジュール、１２ａ…端部、１４、支持部、１６…電源回路、２０…支持板、２０ａ…支持面、２０ｓ…側面、２１…枠部、２１ａ…開口、２２…カバー、３０…ケース、３０ａ…一端、３０ｂ…他端、３０ｍ…溝部、３０ｐ…開口、３１…基板、３２、１３２…取付用板、３３、３４…キャップ、３５…光源、４１…第１係合部、４２…第２係合部、５１…第１被係合部、５２…第２被係合部
【図１】
2014157800.tif 000003
【図２】
2014157800.tif 000004
【図３】
2014157800.tif 000005
【図４】
2014157800.tif 000006
【図５】
2014157800.tif 000007
【図６】
2014157800.tif 000008
【図７】
2014157800.tif 000009